(57)【要約】  ネットワークモジュールとユーザ機器（ＵＥ）とを備えるモバイル通信ネットワークにおいて近接サービスにアクセスする方法が開示され、ＵＥはモバイル通信ネットワークに接続を提供する第１の無線アクセス技術にしたがって動作するように構成されるプライマリ無線インターフェースと、第１の無線アクセス技術とは異なる少なくとも１つの第２の無線アクセス技術にしたがって動作するように構成される少なくとも１つのセカンダリ無線インターフェースとを備える。ネットワークモジュールはＵＥが近接サービスにアクセスできるようにするためにＵＥと通信するように構成される。方法は、ＵＥによって要求メッセージをモジュールに送信することと、モジュールにおいてプライマリ無線インターフェースを介してＵＥによってサービスにアクセスできるように適合された回答メッセージを生成することと、回答メッセージを、少なくとも１つのセカンダリ無線インターフェースを介してＵＥによってサービスにアクセスできるように適合された少なくとも１つのさらなる回答メッセージに変換することと、を含む。
2019531668.tif 000002
【特許請求の範囲】
【請求項１】
ネットワークモジュール（３１）とユーザ機器（１ａ、１ｂ）とを含むモバイル通信ネットワーク（１）において近接サービスにアクセスする方法であって、前記ユーザ機器（１ａ、１ｂ）は前記モバイル通信ネットワークへの接続を提供する第１の無線アクセス技術にしたがって動作するように構成されるプライマリ無線インターフェース（Ｒ１）と、前記第１の無線アクセス技術とは異なる少なくとも１つの第２の無線アクセス技術にしたがって動作するように構成される少なくとも１つのセカンダリ無線インターフェース（Ｒ２）とを備え、前記ネットワークモジュール（３１）は前記ユーザ機器（１ａ、１ｂ）が前記近接サービスにアクセスできるようにするために前記ユーザ機器（１ａ、１ｂ）と通信するように構成され、前記方法は
ａ）前記ユーザ機器（１ａ、１ｂ）が、前記近接サービスにアクセスする要求を含む要求メッセージを前記ネットワークモジュール（３１）に送信するステップと、
ｂ）前記ネットワークモジュール（３１）において、前記近接サービスに前記ユーザ機器（１ａ、１ｂ）が前記プライマリ無線インターフェース（Ｒ１）を介してアクセスできるように適合された回答メッセージを生成するステップと、
ｃ）前記回答メッセージを、前記近接サービスに前記ユーザ機器（１ａ、１ｂ）が前記少なくとも１つのセカンダリ無線インターフェース（Ｒ２）を介してアクセスできるように適合された少なくとも１つのさらなる回答メッセージに変換するステップと
を含む、方法。
【請求項２】
請求項１に記載の方法であって、前記モバイル通信ネットワーク（１）内で前記ユーザ機器（１ａ、１ｂ）が前記近接サービスに加入するステップと、前記モバイル通信ネットワーク（１）に前記近接サービスにアクセスするための前記少なくとも１つの第２の無線アクセス技術の可用性を示すデータを提供するステップとをさらに含む方法。
【請求項３】
請求項２に記載の方法であって、前記要求メッセージは、前記少なくとも１つの第２の無線アクセス技術を示すデータをさらに含み、前記方法は、前記ネットワークモジュール（３１）において、前記データに基づいて前記ユーザ機器（１ａ、１ｂ）が前記少なくとも１つの第２の無線インターフェースを介して前記近接サービスにアクセスすることを認可されたかどうかを確認するステップをさらに含む、方法。
【請求項４】
請求項１から３のうちのいずれか一項に記載の方法であって、前記要求メッセージは、前記近接サービスを提供または前記近接サービスを受信するために、前記ユーザ機器（１ａ、１ｂ）がどの情報に興味があって通知または監視するかを示す１つまたは複数のサービス識別子をさらに含む、方法。
【請求項５】
請求項４に記載の方法であって、前記回答メッセージは前記プライマリ無線インターフェース（Ｒ１）を介して前記近接サービスを提供するために前記ユーザ機器（１ａ）によって通知されることになる１つまたは複数のサービスコードを含み、前記１つまたは複数のサービスコードは前記１つまたは複数のサービス識別子に対応し、変換する前記ステップは、前記少なくとも１つのセカンダリ無線インターフェース（Ｒ２）のそれぞれについて前記少なくとも１つのさらなる回答メッセージのうちのそれぞれ１つに挿入されることになる１つまたは複数のそれぞれのセカンダリサービスコードを生成するように、前記１つまたは複数のサービスコードを適合させるステップを含み、前記１つまたは複数のそれぞれのセカンダリサービスコードは前記少なくとも１つのセカンダリ無線インターフェース（Ｒ２）の前記それぞれを介して通知されるように適合される、方法。
【請求項６】
請求項４に記載の方法であって、前記回答メッセージは前記プライマリ無線インターフェース（Ｒ１）を介して前記近接サービスを受信するために前記ユーザ機器（１ａ）によって監視されることになる１つまたは複数のサービスフィルタを含み、前記１つまたは複数のサービスフィルタは前記１つまたは複数のサービス識別子に対応し、変換する前記ステップは、前記少なくとも１つのセカンダリ無線インターフェース（Ｒ２）のそれぞれについて前記少なくとも１つのさらなる回答メッセージのうちのそれぞれ１つに挿入されることになる１つまたは複数のそれぞれのセカンダリサービスフィルタを生成するように、前記１つまたは複数のサービスフィルタを適合させるステップを含み、前記１つまたは複数のそれぞれのセカンダリサービスフィルタは前記少なくとも１つのセカンダリ無線インターフェース（Ｒ２）の前記それぞれを介して前記サービス識別子に関連付けられたセカンダリサービスコードを監視するように適合される、方法。
【請求項７】
請求項５または６に記載の方法であって、変換する前記ステップは前記ユーザ機器（１ａ、１ｂ）において実施され、前記回答メッセージは適合させる前記ステップについて前記ユーザ機器（１ａ、１ｂ）によって使用可能な適合情報をさらに含み、前記適合情報は前記１つまたは複数のサービスコードのデータ構造を示す、方法。
【請求項８】
請求項１から７のうちのいずれか一項に記載の方法であって、前記ネットワークモジュール（３１）が、前記少なくとも１つのさらなる回答メッセージを前記プライマリ無線インターフェース（Ｒ１）によって受信されるように適合された伝送メッセージで前記ユーザ機器（１ａ、１ｂ）に送信するステップをさらに含む方法。
【請求項９】
請求項１から８のいずれか一項に記載の方法であって、
−  前記プライマリ無線インターフェース（Ｒ１）と前記少なくとも１つのセカンダリ無線インターフェース（Ｒ２）とのうちの、前記ユーザ機器（１ａ、１ｂ）が前記近接サービスにアクセスするための対象の無線インターフェース（ＲＴ）を、前記ユーザ機器（１ａ、１ｂ）に関連付けられたユーザのプロファイルと、前記ユーザ機器（１ａ、１ｂ）の位置と、前記モバイル通信ネットワーク（１）の実際の負荷条件と、無線リソースの可用性とのうちの少なくとも１つに基づいて決定するステップ
をさらに含み、
変換する前記ステップは、前記回答メッセージを前記対象の無線インターフェース（ＲＴ）を介して前記ユーザ機器（１ａ、１ｂ）によって前記近接サービスにアクセスできるように適合されたさらなる回答メッセージに変換するステップを含む、
方法。
【請求項１０】
請求項９に記載の方法であって、変換する前記ステップは前記ユーザ機器（１ａ、１ｂ）において実施され、前記回答メッセージは前記対象の無線インターフェース（ＲＴ）を示すデータをさらに含む、方法。
【請求項１１】
請求項１から１０のうちのいずれか一項に記載の方法であって、前記モバイル通信ネットワーク（１）は３ＧＰＰ  ＬＴＥモバイル通信ネットワークであり、前記プライマリ無線インターフェース（Ｒ１）はＥ−ＵＴＲＡ無線インターフェースであり、前記少なくとも１つのセカンダリ無線インターフェース（Ｒ２）はＷｉ−Ｆｉ無線インターフェースを含み、前記回答メッセージは３ＧＰＰ発見応答メッセージであり、前記少なくとも１つのさらなる回答メッセージはＷｉ−Ｆｉ  ＮＡＮ発行メッセージまたはＷｉ−Ｆｉ加入メッセージを含む、方法。
【請求項１２】
モバイル通信ネットワーク（１）のためのネットワークモジュール（３１）であって、前記ネットワークモジュール（３１）はユーザ機器が前記モバイル通信ネットワーク（１）内で近接サービスにアクセスできるようにするために前記ユーザ機器と通信するように構成され、前記ネットワークモジュール（３１）は、
−  前記ユーザ機器（１ａ、１ｂ）から前記近接サービスにアクセスする要求を含む要求メッセージを受信することと、
−  第１の無線アクセス技術にしたがって動作するように構成された前記ユーザ機器（１ａ、１ｂ）のプライマリ無線インターフェース（Ｒ１）を介して前記ユーザ機器（１ａ、１ｂ）が前記近接サービスにアクセスできるように適合された回答メッセージを生成することであって、前記第１の無線アクセス技術は前記モバイル通信ネットワークへの接続を提供する、回答メッセージを生成することと
を行うようにさらに構成され、
前記ネットワークモジュール（３１）は、前記回答メッセージを少なくとも１つのさらなる回答メッセージに変換するように構成された適合機能（３１ａ）をさらに含み、前記さらなる回答メッセージは、前記近接サービスに、前記ユーザ機器（１ａ、１ｂ）が、少なくとも１つの第２の無線アクセス技術にしたがって動作するように構成された前記ユーザ機器（１ａ、１ｂ）の少なくとも１つのセカンダリ無線インターフェース（Ｒ２）を介してアクセスできるように適合され、前記少なくとも１つの第２の無線アクセス技術は前記第１の無線アクセス技術とは異なる、ネットワークモジュール（３１）。
【請求項１３】
請求項６に記載のネットワークモジュール（３１）であって、前記モバイル通信ネットワーク（１）は３ＧＰＰ  ＬＴＥモバイル通信ネットワークであり、前記ネットワークモジュール（３１）は３ＧＰＰ  ＰｒｏＳｅ機能を含む、ネットワークモジュール（３１）。
【請求項１４】
請求項１１または１２に記載のネットワークモジュール（３１）を含むモバイル通信ネットワーク（１）であって、前記モバイル通信ネットワーク（１）は無線発見モジュール（４）をさらに含み、前記無線発見モジュール（４）は、前記プライマリ無線インターフェース（Ｒ１）と前記少なくとも１つのセカンダリ無線インターフェース（Ｒ２）とのうちの、前記ユーザ機器（１ａ、１ｂ）が前記近接サービスにアクセスするための対象の無線インターフェースを、前記ユーザ機器（１ａ、１ｂ）に関連付けられたユーザのプロファイルと、前記ユーザ機器（１ａ、１ｂ）の位置と、前記モバイル通信ネットワーク（１）の実際の負荷条件と、無線リソースの可用性とのうちの少なくとも１つに基づいて決定するように構成された、モバイル通信ネットワーク（１）。
【請求項１５】
モバイル通信ネットワーク（１）のためのユーザ機器（１ａ、１ｂ）であって、前記ユーザ機器は、前記モバイル通信ネットワーク（１）内で近接サービスにアクセスできるようにするために、前記モバイル通信ネットワーク（１）のネットワークモジュール（３１）と通信するように構成され、前記ユーザ機器（１ａ、１ｂ）は前記モバイル通信ネットワークへの接続を提供する第１の無線アクセス技術にしたがって動作するように構成されたプライマリ無線インターフェース（Ｒ１）と、前記第１の無線アクセス技術とは異なる少なくとも１つの第２の無線アクセス技術にしたがって動作するように構成された少なくとも１つのセカンダリ無線インターフェース（Ｒ２）とを含み、前記ユーザ機器（１ａ、１ｂ）は、
−  前記モバイル通信ネットワーク（１）の前記ネットワークモジュール（３１）に前記近接サービスにアクセスする要求を含む要求メッセージを送信することと、
−  前記ネットワークモジュール（３１）から前記プライマリ無線インターフェース（Ｒ１）を介して前記ユーザ機器（１ａ、１ｂ）が前記近接サービスにアクセスできるように適合された回答メッセージを受信することと
を行うようにさらに構成され、
前記ユーザ機器（１ａ、１ｂ）は、前記回答メッセージを少なくとも１つのさらなる回答メッセージに変換するように構成された適合機能（３１ａ）をさらに含み、前記少なくとも１つのさらなる回答メッセージは、前記少なくとも１つのセカンダリ無線インターフェース（Ｒ２）を介して前記ユーザ機器（１ａ、１ｂ）が前記近接サービスにアクセスできるように適合された、ユーザ機器（１ａ、１ｂ）。
【発明の詳細な説明】
【技術分野】
【０００１】
本発明は通信システムおよびネットワークの分野に関する。特に、本発明はモバイル通信ネットワークにおける近接サービスにアクセスするための方法に関する。
【背景技術】
【０００２】
知られているように、モバイル通信ネットワーク、特に、ＬＴＥ（Ｌｏｎｇ  Ｔｅｒｍ  Ｅｖｏｌｕｔｉｏｎ）モバイル通信ネットワークにおいて、近接サービス（ＰｒｏＳＥ）は、互いに近接する少なくとも２つのユーザ機器（ＵＥ）に基づいてネットワーク事業者によって提供され得るサービスである。通信ネットワークは典型的には論理的機能、ＰｒｏＳｅ機能を備え、これはＵＥがその近傍にある他のＵＥを発見する能力を制御し、この情報に基づいて所定のサービスを提供および／または受信する。これらのサービスは事業および商業的なアクティビティ（ショップ、レストラン、など）に関連することがあり、発見手順を使用してモバイル広告をトリガーすることができる。
【０００３】
特に、技術仕様書ＥＴＳＩ  ＴＳ  １２３  ３０３  ｖ１３．４．０（２０１６−０７）、セクション５．３、４４〜９９ページにおける３ＧＰＰ（第三世代パートナーシッププロジェクト）によって標準化される直接的な発見（ｄｉｒｅｃｔ  ｄｉｓｃｏｖｅｒｙ）は、ＵＥがＬＴＥ無線インターフェース、すなわちＥ−ＵＴＲＡ（エボルブドＵＭＴＳ地上無線アクセス）無線信号を使用して近傍の別のＵＥを検出および特定することを可能にする処理である。直接的な発見は、２つの手順：
−  通知することであって、それによって近傍のＵＥに特定の情報を提供したいと思う加入者のＵＥが、ＬＴＥトラフィックチャネル上でネットワークから（すなわちＰｒｏＳｅ機能から）そのＵＥによってＥ−ＵＴＲＡ無線信号を使用してブロードキャストされることになるビットシーケンス（ＰｒｏＳｅアプリケーションコード）を受信する、通知することと、
−  監視すること／報告することであって、それによってＵＥがＬＴＥトラフィックチャネル上でＰｒｏＳｅ機能から近傍にあるＵＥによって送信される所定のＰｒｏＳｅアプリケーションコードを監視することを可能にするビットシーケンス（ＰｒｏＳｅ発見フィルタ）を受信する、監視すること／報告することと
を備えることができる。ＵＥが発見フィルタと一致するＰｒｏＳｅアプリケーションコードを受信するとき、ＵＥは一致するＰｒｏＳｅアプリケーションコードをネットワークに報告し、ネットワークは一致するＰｒｏＳｅアプリケーションコードを送信しているＵＥに関連付けられたＵＥに情報（例えば、広告）を提供する。
また、Ｗｉ−Ｆｉ  Ｎｅｉｇｈｂｏｒ  Ａｗａｒｅｎｅｓｓ  Ｎｅｔｗｏｒｋｉｎｇ（ＮＡＮ）技術はＵＥが近接サービスにアクセスできるようにすることについて、Ｗｉ−Ｆｉ（登録商標）技術に基づくデバイスツーデバイス（Ｄ２Ｄ）発見メカニズムを提供することも知られている。例えば、これらのサービスはソーシャルネットワーキング、モバイル広告、ゲーミング、日付合わせ（ｄａｔｉｎｇ）などに関連してもよい。この技術は、いわゆる「ｏｖｅｒ−ｔｈｅ−ｔｏｐ」サービスプロバイダー（例えば、Ｇｏｏｇｌｅ、Ｆａｃｅｂｏｏｋ）がアプリケーションサーバーを使用してＩＰネットワーク（例えば、インターネット）を介して彼らのユーザに近接サービスを供給することを可能にする。
【発明の概要】
【発明が解決しようとする課題】
【０００４】
出願人は現在のところ上述のような異なる無線アクセス技術による近接サービスにアクセスするための発見メカニズムは互いに統合されないということに気付いている。特に、出願人はＬＴＥネットワーク用に展開される発見メカニズムとＷｉ−Ｆｉ技術を採用する発見メカニズムは互いに統合されないということに気付いている。
【０００５】
したがって、ＵＥにＬＴＥ  Ｅ−ＵＴＲＡ無線インターフェースまたはＷｉ−Ｆｉ無線インターフェースのいずれかを使用することによって同一の近接サービスを発見させるために、ネットワークにおける異なるサーバーおよびＵＥ上の異なるアプリケーションが展開されることを必要とする。実際、３ＧＰＰ  ＰｒｏＳｅ機能はＰｒｏＳｅ対応ＵＥ上の対応する３ＧＰＰクライアントと通信して発見の実施を認可することができ、ひいてはＥ−ＵＴＲＡ無線インターフェースを介して近接サービスにアクセスすることができるが、発見の実施を認可するために同一のＵＥにインストールされた発見エンジン（すなわち、いわゆるＮＡＮ発見エンジン）と通信することはできず、ひいてはＷｉ−Ｆｉ無線インターフェースを介して同一の近接サービスにアクセスすることはできない。また、上記のように、ＬＴＥを介する近接サービスは所定のビットシーケンスが空中で送信され、これらのシーケンスが近接サービスにアクセスできるようにされた加入者のＵＥに関連付けられていることが必要である。また、ＮＡＮ技術は近接サービスに所与のサービスＩＤを関連付けることを提供する。したがって、通知／監視される同一のサービスについてのネットワーク内で異なるビットシーケンスがＵＥによって割り当てられることがあり、それぞれの１つはＵＥによって近接サービスにアクセスするために使用され得るそれぞれの無線アクセス技術（すなわち、上述のシナリオにしたがってＬＴＥ  Ｅ−ＵＴＲＡおよびＷｉ−Ｆｉ）に関連付けられている。この状況により、近接サービスの提供に関して複雑さが著しく増加することになる。
【課題を解決するための手段】
【０００６】
上記に鑑みて、出願人は上で論じた欠点の少なくとも１つを克服することができるようなモバイル通信ネットワークにおける近接サービスにアクセスする方法を提供するという問題に取り組んできた。特に、出願人は異なる無線アクセス技術に基づく異なる発見メカニズムを統合できるようなモバイル通信ネットワークにおける近接サービスにアクセスする方法を提供するという問題に取り組んできた。
【０００７】
以下の説明および特許請求の範囲において、「近接サービスにアクセスする」という表現は手順に関し、その手順にしたがってＵＥがその近傍の別のＵＥに近接サービスを提供すること、またはその近傍の別のＵＥから近接サービスを受信することのいずれかできるようにされる。
【０００８】
第１の態様によると、本発明はネットワークモジュールとユーザ機器とを備えるモバイル通信ネットワークにおいて近接サービスにアクセスする方法を提供し、ユーザ機器はモバイル通信ネットワークに接続を提供する第１の無線アクセス技術にしたがって動作するように構成されるプライマリ無線インターフェースと、第１の無線アクセス技術とは異なる少なくとも１つの第２の無線アクセス技術にしたがって動作するように構成される少なくとも１つのセカンダリ無線インターフェースとを備え、ネットワークモジュールはユーザ機器が近接サービスにアクセスできるようにするためにユーザ機器と通信するように構成され、方法は
ａ）ユーザ機器によって近接サービスにアクセスする要求を含む要求メッセージをネットワークモジュールに送信することと、
ｂ）ネットワークモジュールにおいてプライマリ無線インターフェースを介してユーザ機器によって近接サービスにアクセスできるように適合された回答メッセージを生成することと、
ｃ）回答メッセージを、少なくとも１つのセカンダリ無線インターフェースを介してユーザ機器によって近接サービスにアクセスできるように適合された少なくとも１つのさらなる回答メッセージに変換することと、を含む。
好ましくは、方法は、モバイル通信ネットワーク内でユーザ機器によって近接サービスに加入することと、モバイル通信ネットワークに近接サービスにアクセスするための少なくとも１つの第２の無線アクセス技術の可用性を示すデータを提供することと、をさらに備える。
【０００９】
好ましくは、要求メッセージは、少なくとも１つの第２の無線アクセス技術を示すデータをさらに備え、方法はネットワークモジュールにおいてデータに基づいてユーザ機器が少なくとも１つの第２の無線インターフェースを介して近接サービスにアクセスすることを認可されたかどうかを確認することをさらに備える。
【００１０】
好ましくは、要求メッセージは、近接サービスを提供または近接サービスを受信するためにユーザ機器がどの情報に興味があって通知または監視するかを示す１つまたは複数のサービス識別子をさらに備える。
【００１１】
本発明の実施形態によると、回答メッセージはプライマリ無線インターフェースを介して近接サービスを提供するためにユーザ機器によって通知されることになる１つまたは複数のサービスコードを含み、１つまたは複数のサービスコードは１つまたは複数のサービス識別子に対応し、変換することは１つまたは複数のサービスコードを適合して少なくとも１つのセカンダリ無線インターフェースのそれぞれについて少なくとも１つのさらなる回答メッセージのうちのそれぞれ１つに挿入されることになる１つまたは複数のそれぞれのセカンダリサービスコードを生成することを含み、１つまたは複数のそれぞれのセカンダリサービスコードは少なくとも１つのセカンダリ無線インターフェースのそれぞれを介して通知されるように適合される。
【００１２】
本発明の他の実施形態によると、回答メッセージはプライマリ無線インターフェースを介して近接サービスを受信するためにユーザ機器によって監視されることになる１つまたは複数のサービスフィルタを含み、１つまたは複数のサービスフィルタは１つまたは複数のサービス識別子に対応し、変換することは１つまたは複数のサービスフィルタを適合して少なくとも１つのセカンダリ無線インターフェースのそれぞれについて少なくとも１つのさらなる回答メッセージのうちのそれぞれ１つに挿入されることになる１つまたは複数のそれぞれのセカンダリサービスフィルタを生成することを含み、１つまたは複数のそれぞれのセカンダリサービスフィルタは少なくとも１つのセカンダリ無線インターフェースのそれぞれを介してサービス識別子に関連付けられたセカンダリサービスコードを監視するように適合される。
【００１３】
本発明の一実施形態によると、変換することはユーザ機器において実施され、回答メッセージは１つまたは複数のサービスコードまたはフィルタを適合することについてユーザ機器によって使用可能な適合情報をさらに含み、適合情報は１つまたは複数のサービスコードのデータ構造を示す。
【００１４】
好ましくは、方法は、ネットワークモジュールによって少なくとも１つのさらなる回答メッセージをプライマリ無線インターフェースによって受信されるように適合された伝送メッセージでユーザ機器に送信することをさらに含む。
【００１５】
好ましくは、方法は、
−  ユーザ機器に関連付けられたユーザのプロファイル、ユーザ機器の位置、モバイル通信ネットワークの実際の負荷条件、無線リソースの可用性のうちの少なくとも１つに基づいて、プライマリ無線インターフェースと少なくとも１つのセカンダリ無線インターフェースのうち、ユーザ機器によって近接サービスにアクセスするための対象の無線インターフェースを決定することをさらに備え、
変換することは回答メッセージを対象の無線インターフェースを介してユーザ機器によって近接サービスにアクセスできるように適合されたさらなる回答メッセージに変換することを含む。
【００１６】
本発明の一実施形態によると、変換することはユーザ機器において実施され、回答メッセージは対象の無線インターフェースを示すデータをさらに含む。
好ましくは、モバイル通信ネットワークは３ＧＰＰ  ＬＴＥモバイル通信ネットワークであり、プライマリ無線インターフェースはＥ−ＵＴＲＡ無線インターフェースであり、少なくとも１つのセカンダリ無線インターフェースはＷｉ−Ｆｉ無線インターフェースを備え、回答メッセージは３ＧＰＰ発見応答メッセージであり、少なくとも１つのさらなる回答メッセージはＷｉ−Ｆｉ  ＮＡＮ発行メッセージまたはＷｉ−Ｆｉ加入メッセージを含む。
【００１７】
第２の態様によると、本発明はモバイル通信ネットワークのためのネットワークモジュールを提供し、ネットワークモジュールはユーザ機器がモバイル通信ネットワーク内で近接サービスにアクセスできるようにするためにユーザ機器と通信するように構成され、ネットワークモジュールは
−  ユーザ機器から近接サービスにアクセスする要求を含む要求メッセージを受信することと、
−  第１の無線アクセス技術にしたがって動作するように構成されたユーザ機器のプライマリ無線インターフェースを介してユーザ機器によって近接サービスにアクセスできるように適合された回答メッセージを生成することと、を行うようにさらに構成され、第１の無線アクセス技術はモバイル通信ネットワークへの接続を提供し、
ネットワークモジュールは回答メッセージを第１の無線アクセス技術とは異なる少なくとも１つの第２の無線アクセス技術にしたがって動作するように構成されたユーザ機器の少なくとも１つのセカンダリ無線インターフェースを介してユーザ機器によって近接サービスにアクセスできるように適合された少なくとも１つのさらなる回答メッセージに変換するように構成された適合機能をさらに備える。
【００１８】
好ましくは、モバイル通信ネットワークは３ＧＰＰ  ＬＴＥモバイル通信ネットワークであり、ネットワークモジュールは３ＧＰＰ  ＰｒｏＳｅ機能を備える。
第３の態様によると、本発明は上記で示したネットワークモジュールを備えるモバイル通信ネットワークを提供し、モバイル通信ネットワークはユーザ機器に関連付けられたユーザのプロファイル、ユーザ機器の位置、モバイル通信ネットワークの実際の負荷条件、無線リソースの可用性のうちの少なくとも１つに基づいて、プライマリ無線インターフェースと少なくとも１つのセカンダリ無線インターフェースのうちユーザ機器によって近接サービスにアクセスするための対象の無線インターフェースを決定するように構成された無線発見モジュールをさらに備える。
【００１９】
第４の態様によると、本発明はモバイル通信ネットワークのためのユーザ機器を提供し、ユーザ機器は、モバイル通信ネットワーク内で近接サービスにアクセスできるようにされるモバイル通信ネットワークのネットワークモジュールと通信するように構成され、ユーザ機器はモバイル通信ネットワークに接続を提供する第１の無線アクセス技術にしたがって動作するように構成されたプライマリ無線インターフェースと、第１の無線アクセス技術とは異なる少なくとも１つの第２の無線アクセス技術にしたがって動作するように構成された少なくとも１つのセカンダリ無線インターフェースとを備え、ユーザ機器は、
−  モバイル通信ネットワークのネットワークモジュールに近接サービスにアクセスする要求を含む要求メッセージを送信することと、
−  ネットワークモジュールからプライマリ無線インターフェースを介してユーザ機器によって近接サービスにアクセスできるように適合された回答メッセージを受信することと、を行うようにさらに構成され、
ユーザ機器は回答メッセージを少なくとも１つのセカンダリ無線インターフェースを介してユーザ機器によって近接サービスにアクセスできるように適合された少なくとも１つのさらなる回答メッセージに変換するように構成された適合機能をさらに備える。
【００２０】
本発明は一例としてかつ限定ではなく添付の図面を参照して読むことによって下記の詳細な説明からより明らかになるであろう。
【図面の簡単な説明】
【００２１】
【図１】本発明の実施の形態によるモバイル通信ネットワークを概略的に示す。
【図２】本発明の第１の実施形態による方法を図示するフローチャートである。
【図３】本発明の第２の実施形態による方法を図示するフローチャートである。
【図４】本発明の第３の実施形態による方法を図示するフローチャートである。
【図５】本発明の第４の実施形態による方法を図示するフローチャートである。
【発明を実施するための形態】
【００２２】
図１は本発明による方法を実装するように構成されたモバイル通信ネットワーク１を概略的に示す。モバイル通信ネットワークは、好ましくは複数のユーザ機器（ＵＥ）１ａ、１ｂ、無線アクセスネットワーク２、およびコアネットワーク３を含む。例示の目的のため、図１は無線アクセスネットワーク２に接続される２つのＵＥ１ａ、１ｂを示す。
【００２３】
モバイル通信ネットワーク１は、好ましくは近接サービスに加入しているネットワークユーザに近接サービスを提供することをサポートするように構成される。
好ましくは、ＵＥ１ａ、１ｂは近接サービスの要求および関連する手順をサポートすることができるようにされる。特に、それぞれのＵＥは自身において少なくとも１つの近接サービスアプリケーションを実行する能力を有し、近接サービスアプリケーションは、ＵＥが近傍の他のＵＥを発見すること、近傍の他のＵＥによって発見されること、および発見したＵＥと通信することをできるようにする。
【００２４】
好ましくは、ＵＥ１ａ、１ｂをモバイル通信ネットワーク１の無線アクセスネットワーク２に接続するために使用される無線インターフェースに加えて、それぞれのＵＥ１ａ、１ｂは本明細書の以降においてさらに説明されるように近接サービスにアクセスするために他の無線アクセス技術を活用するための複数の他の無線インターフェースをさらに備える。
【００２５】
好ましくは、コアネットワーク３は近接サービスの提供と管理に必要とされるネットワーク関連アクションを実施するように、特に近接サービスにアクセスするためのＵＥの能力を制御するように構成される第１のネットワークモジュール３１を備える。ネットワークモジュール３１は、好ましくはコアネットワークノードにインストールされる。
【００２６】
また、好ましくは、コアネットワーク３はネットワークユーザの情報（ユーザの識別情報およびプロファイル情報など）を含むデータリポジトリを備える第２のネットワークモジュール３２（例えば、ネットワークサーバー上にホストされる）を備える。コアネットワーク３はＵＥの位置情報を提供するように構成される第３のネットワークモジュール３３（例えば、ネットワークサーバー上にホストされる）、ならびに例えばネットワーク構成および障害管理に関連するアクティビティを実施することによってモバイル通信ネットワークを管理するように構成された第４のネットワークモジュール３４（例えば、ネットワークサーバー上にホストされる）をさらに備える。
【００２７】
上記で紹介したネットワークモジュールは第１のネットワークモジュール３１に接続される。これらは好ましくはモバイル通信ネットワークのノードまたはサーバーにおいて専用のハードウェア上で実行するように構成されるソフトウェアモジュールとして実装される。
【００２８】
例えば、モバイル通信ネットワークは、エボルブドＵＭＴＳ地上無線アクセスネットワーク（Ｅ−ＵＴＲＡＮ）２およびエボルブドパケットコア（ＥＰＣ）ネットワーク３を含む、３ＧＰＰのＬＴＥ（Ｌｏｎｇ  Ｔｅｒｍ  Ｅｖｏｌｕｔｉｏｎ）またはＬＴＥ−Ａｄｖａｎｃｅｄ通信ネットワークであってもよい。Ｅ−ＵＴＲＡＮはＵＥをコアネットワークに接続する複数のｅＮｏｄｅＢを備える。この例示的なシナリオにおいては、図１はＵＥ１ａ、１ｂをＥＰＣ３に接続するｅＮｏｄｅＢ２を示している。ＬＴＥモバイル通信ネットワークのＥＰＣは、ＰｒｏＳｅ（近接サービス）機能３１を備え、本明細書の上記で既に予期されるように、近接サービスの提供と管理に必要とされるネットワーク関連アクションを実施するように、特に近接サービスにアクセスするためのＵＥの能力を制御するように構成される論理的な機能である。ＰｒｏＳｅ機能３１は、好ましくは図１に示されるようにＵＥに接続されたネットワークノードにおいて実装される。また、ＥＰＣ３はホームサブスクライバサーバー（ＨＳＳ）３２を備え、これはネットワークユーザの情報を管理するように構成される。この情報はサービス加入状態を含むＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｙ）およびＭＳＩＳＤＮ（Ｍｏｂｉｌｅ  Ｓｕｂｓｃｒｉｂｅｒ  ＩＳＤＮ  Ｎｕｍｂｅｒ）または携帯電話番号、ならびにユーザのプロファイル情報などのユーザの識別情報を含む。さらに、ＥＰＣはセキュアなユーザプレーン位置プラットフォーム（ＳＬＰ）３３を含み、ＵＥの位置情報を取得および提供するように構成される。最終的に、ＬＴＥ通信ネットワークは運用支援システム（ＯＳＳ）３４を含み、これはＬＴＥ通信ネットワークを管理するように、および例えばＬＴＥ通信ネットワークの実際の負荷を示す情報を提供するように構成される。
【００２９】
以下の説明において、限定的ではない例示の目的で、上で報告されるようなＬＴＥモバイル通信ネットワークならびにその関連するアーキテクチャおよび手順に参照がなされる。
【００３０】
それぞれのＵＥ１ａ、１ｂは対応する無線インターフェースを介してモバイル通信ネットワーク１の無線アクセスネットワーク２と通信し、これは本説明においては「ＵＥのプライマリ無線インターフェース」または「第１の無線インターフェースＲ１」と示される。特に、例示的なＬＴＥモバイル通信ネットワークにおいては、それぞれのＵＥ１ａ、１ｂはＥ−ＵＴＲＡ無線インターフェースを介してＥ−ＵＴＲＡＮ２と通信する。好ましくは、上記のように、ＵＥをモバイル通信ネットワークに接続するために使用される第１の無線インターフェースＲ１に加えて、ＵＥは近接サービスにアクセスするためのさらなる無線アクセス技術を活用するためのＮ−１（Ｎは１に等しいか、１より大きな整数）の数の他の無線インターフェースをさらに備える。これらの無線インターフェースは「第２の無線インターフェースＲ２」、「第３の無線インターフェースＲ３」、「第Ｎの無線インターフェースＲＮ」などと示される。全体的に、それらはまた「ＵＥのセカンダリ無線インターフェース」として示される。さらなる無線アクセス技術は、ライセンスされた、またはライセンスされていない無線周波数帯域（例えば、ＬＴＥ−Ｕとしても示されるライセンスされていないＬＴＥ無線アクセス）上で稼働するＥ−ＵＴＲＡ以外の４Ｇ／５Ｇ無線アクセス技術、Ｗｉ−Ｆｉ、Ｂｌｕｅｔｏｏｔｈ（登録商標）のうちの、１つまたは複数を含むことができる。また、ＵＥは好ましくはそれぞれサポートされる無線アクセス技術について、関連する無線インターフェースを介して発見手順を実装するために、関連する無線インターフェースに関連付けられた発見エンジンを備える。例えば、ＵＥはＷｉ−Ｆｉ無線インターフェースおよびＮｅｉｇｈｂｏｒ  Ａｗａｒｅｎｅｓｓ  Ｎｅｔｗｏｒｋｉｎｇ（ＮＡＮ）技術を実装するためのＷｉ−Ｆｉ  ＮＡＮ発見エンジンを備える。
【００３１】
既に上で論じたように、モバイル通信ネットワーク内で提供される近接サービスにアクセスしたいＵＥは、ネットワーク事業者によりこのサービスに加入することになっており、いったん認可されると近傍の他のＵＥを検出して特定することを目的とする発見手順を実施する。例示的な近接サービスは、ユーザがあるレストランに近づいたときのレストランなどの商業的なアクティビティについてネットワークユーザにモバイル広告を提供することにあってもよい。本発明によれば「通知」ＵＥ１ａは近傍の他のＵＥによって使用され得る特定の情報（１つまたは複数の所与のコードを送信することによって）を通知するとき発見手順を実施し、「監視」ＵＥ１ｂは通知ＵＥ１ａの近傍にある対象の特定の情報（１つまたは複数の所与のコードを検出することによって）を監視するとき発見手順を実施する。
【００３２】
ＬＴＥモバイル通信ネットワークにおいて、通知ＵＥ１ａが認可される場合、通知ＵＥ１ａはＥ−ＵＴＲＡ無線インターフェースを介してＰｒｏＳｅ機能３１に通知するために発見要求メッセージを送信する。要求が成功すると、ＵＥ１ａはＰｒｏＳｅアプリケーションコードを提供され、次いでＰｒｏＳｅアプリケーションコードは通知ＵＥ１ａによってブロードキャストされる。監視ＵＥ１ｂは、認可される場合、監視ＵＥ１ｂはＥ−ＵＴＲＡ無線インターフェースを介してＰｒｏＳｅ機能３１に監視するために発見要求メッセージを送信する。要求が成功すると、監視ＵＥ１ｂは監視ＵＥ１ｂが１つまたは複数のＰｒｏＳｅアプリケーションコードを監視することを可能にするＰｒｏＳｅ発見フィルタを提供される。監視ＵＥ１ｂが１つまたは複数のＰｒｏＳｅアプリケーションコードがＰｒｏＳｅ発見フィルタと一致することを検出するとき、ＰｒｏＳｅ機能３１にそのコードを報告する。ＬＴＥモバイル通信ネットワーク内での発見手順および他の発見関連手順は、技術仕様書ＥＴＳＩ  ＴＳ  １２３  ３０３  ｖ１３．４．０（２０１６−０７）、セクション５．３、４４〜９９ページ（ＰｒｏＳｅ  Ｄｉｒｅｃｔ  Ｄｉｓｃｏｖｅｒｙ）の３ＧＰＰ（第三世代パートナーシッププロジェクト）よって標準化されている。以下の説明において、本発明の方法は、限定的ではなく例示目的でこの手順を参照して説明される。
【００３３】
以下の説明において、本発明によるモバイル通信ネットワークにおける近接サービスにアクセスするための方法がさらに詳細に説明される。
初めに、通知ＵＥ１ａならびに監視ＵＥ１ｂは、考慮されるモバイル通信ネットワーク１内で認可されて発見手順を実施するためにネットワーク事業者により近接サービスに加入している。本発明によれば、通知ＵＥ１ａまたは監視ＵＥ１ｂのいずれかのＵＥがネットワーク事業者により近接サービスに加入すると、加入情報のセットがユーザのプロファイル情報のうちの第２のネットワークモジュール３２に記憶される。この加入情報は第１のネットワークモジュール３１がＵＥ１ａ、ＵＥ１ｂに本明細書において以降で説明するような近接サービスにアクセスする認可を与えることを可能にする。近接サービスに加入する際、ＵＥ１ａ、ＵＥ１ｂはまたモバイル通信ネットワーク１に、ＵＥ１ａ、ＵＥ１ｂが近接サービスにアクセスするために使用できるさらなる無線アクセス技術（すなわち、モバイル通信ネットワーク無線アクセス技術以外の、ＵＥ１ａ、ＵＥ１ｂによってサポートされる無線アクセス技術）を通信する。このさらなる情報は好ましくはユーザの加入情報の一部として第２のネットワークモジュール３２に記憶される。例えば、ＵＥ１ａ、ＵＥ１ｂがＷｉ−Ｆｉインターフェースを有しており、それを介して近接サービスにアクセスすることができる場合、近接サービスに加入する際、そのＷｉ−Ｆｉインターフェースが近接サービスにアクセスするために利用可能なモバイル通信ネットワーク１に通信してもよい。
【００３４】
考慮される近接サービスに関連する発見手順を開始する前に、ＵＥ１ａ、ＵＥ１ｂは好ましくはユーザのプロファイルを記憶する第２のネットワークモジュール３２との対話を通じて第１のネットワークモジュール３１からサービス認可を得る。ＬＴＥネットワークにおいて、ＵＥがＰｒｏＳｅ機能からサービス認可を得る際にしたがう手順は、技術仕様書ＥＴＳＩ  ＴＳ  １２３  ３０３  ｖ１３．４．０（２０１６−０７）、セクション５．２．１、４０〜４１ページに記載されている。この手順にしたがって、ＰｒｏＳｅ機能はＵＥの加入情報をＨＳＳから得て、ＵＥが認可されて発見手順を実施する場合、ＵＥをモバイル通信ネットワークに関する認可情報で事前設定する。
【００３５】
また、ＵＥ１ａ、ＵＥ１ｂは第１のネットワークモジュール３１との通信をトリガーするために近接サービスアプリケーションを実行するように構成されることになっている。
図２は本発明の第１の実施形態による方法のフローチャートである。本発明のこの第１の実施形態によると、第１のネットワークモジュール３１は適合機能３１ａを備える。適合機能３１ａは、第１のネットワークモジュール３１をホストするモバイル通信ネットワーク１のノードにおける専用のハードウェア上で実行するように構成されるソフトウェアサブモジュールであってよい。
【００３６】
例えば、通知ＵＥ１ａが通知を開始したいとき、通知ＵＥ１ａは近接サービスアプリケーションを動作させて、通知を開始したいことを示すメッセージｍ１を第１のネットワークモジュール３１送信する（ステップ２００）。メッセージｍ１は通知ＵＥ１ａによってそのプライマリ無線インターフェースＲ１を通じて送信される。例えば、上で既に述べたように、ＵＥ１ａはモバイル広告に興味があって、レストランの近くにある他のＵＥにおすすめおよびレストランの割引を通知してもよい。メッセージｍ１は好ましくはＵＥ１ａが何に興味があって通知するかの指標（少なくとも１つの所与のサービス識別子によって表現される）、ＵＥ識別情報、例えばＩＭＳＩ、ＵＥ１ａが通知したいことを示すコマンド、およびメッセージｍ１の送信をトリガーしたアプリケーションの識別子を含む。サービス識別子は近接サービスに加入する際にネットワーク事業者によってＵＥ１ａに提供されてもよい。
【００３７】
また、好ましくは、メッセージｍ１は専用のフィールドにＵＥ１ａが近接サービスにアクセスために活用することができるさらなる無線アクセス技術を示すデータを含む。既に上で言及したように、これらのさらなる無線アクセス技術は例えば、ＬＴＥ−Ｕ、Ｗｉ−Ｆｉ、Ｂｌｕｅｔｏｏｔｈ（登録商標）、５Ｇなどのライセンスされたまたはライセンスされていない無線周波数帯域上で動作するあらゆる無線アクセス技術を含むことができる。
【００３８】
この説明を通じて考慮される例示的なＬＴＥモバイル通信ネットワークにおいて、メッセージｍ１は発見要求メッセージ（技術仕様書ＥＴＳＩ  ＴＳ  １２３  ３０３  ｖ１３．４．０（２０１６−０７）に、例えば、セクション５．３．３．２、４９ページに記載されるように）としてフォーマットされる。発見要求メッセージは以下のフィールドを含む：
−  例えば、広いレベルでの事業カテゴリ、事業サブカテゴリ、事業名およびショップＩＤなどに関連する複数のラベルを含むデータ構造の形式でＵＥが何に興味があって通知するかを示すＰｒｏＳＥアプリケーションＩＤ、
−  例えば、ＩＭＳＩなどであるＵＥ識別情報、
−  通知コマンド、
−  発見要求メッセージの送信をトリガーしたＵＥアプリケーションの一意の識別子であるアプリケーションＩＤ、
−  要求が新しいかどうかを示す発見エントリＩＤ。
また、本発明によれば発見要求メッセージはＵＥ１ａによってサポートされるさらなる無線アクセス技術を示すデータを含む追加のフィールドを備える。
【００３９】
ステップ２０１において、第１のネットワークモジュール３１はメッセージｍ１を受信し、好ましくは発見要求が認可されたかどうか確認するため、すなわちＵＥ１ａがそのプライマリ無線インターフェースＲ１を介してモバイル通信ネットワーク１内で近接サービスにアクセスすることを認可されたかどうかを確認するためにメッセージｍ１を処理する。発見要求が認可されている場合、ステップ２０２で、第１のネットワークモジュール３１は好ましくは第１の回答メッセージｍ２１をＵＥ１ａ、特に、ＵＥ１ａのプライマリ無線インターフェースＲ１に送信する。第１の回答メッセージｍ２１は、好ましくは第１のネットワークモジュール３１によって提供されてＵＥ１ａを認可し、そのプライマリインターフェースＲ１を介して発見手順を開始し、またＵＥ１ａによって送信されたサービス識別子に関連付けられた少なくとも１つのサービスコードをＵＥ１ａに提供し、これはＵＥ１ａが通知することになる。サービスコードは、好ましくは第１のネットワークモジュール３１によって決定される。
【００４０】
この説明を通じて考慮される例示的なＬＴＥモバイル通信ネットワークにおいて、第１の回答メッセージｍ２１は第１のネットワークモジュール３１から通知ＵＥ１ａのＥ−ＵＴＲＡ無線インターフェースに送信され、第１の回答メッセージｍ２１は発見応答メッセージとしてフォーマットされている。発見応答メッセージは技術仕様書ＥＴＳＩ  ＴＳ  １２３  ３０３  ｖ１３．４．０（２０１６−０７）、例えば、セクション５．３．３．２、５０ページに記載される。発見応答メッセージは１つまたは複数のＰｒｏＳｅアプリケーションコードの形式のサービスコードを含み、これは発見要求メッセージに含まれる１つまたは複数のＰｒｏＳｅアプリケーションＩＤに対応する。
【００４１】
ステップ２０３において、ＵＥは第１の回答メッセージｍ２１を受信し、ステップ２０４において受信したサービスコードを通知することによってプライマリ無線インターフェースＲ１を介して発見手順を開始することができる。
【００４２】
また、第１のネットワークモジュール３１は発見要求メッセージｍ１および第１の回答メッセージｍ２１を適合機能３１ａに転送する。好ましくは、適合機能３１ａは専用のフィールドで通知ＵＥ１ａによってサポートされるさらなる無線アクセス技術を示すデータを検索することによってメッセージｍ１を処理する（ステップ２０５）。次いで、適合機能３１ａは好ましくは、ＵＥ１ａがこれらのさらなるサポートされる無線アクセス技術を介して近接サービスにアクセスすることを認可されたかどうかを確認するために、第１のネットワークモジュール３１と協働する。特に、適合機能３１ａは好ましくは、ユーザの加入データがＵＥ１ａがメッセージｍ１の専用のフィールドにおいて示される無線アクセス技術をサポートするという指標を含むかどうかを判断するために、第１のネットワークモジュール３１と協働して第２のネットワークモジュール３２に問い合わせを行う。サービス加入データがＵＥ１ａが所与の無線アクセス技術をサポートするという情報を含む場合、ＵＥ１ａは認可されて対応するセカンダリ無線インターフェースを介して近接サービスにアクセスためにその無線アクセス技術を使用することができる。
【００４３】
次いで、好ましくは適合機能３１ａは第１の回答メッセージｍ２１をある数のさらなる回答メッセージに変換し、この数はＵＥ１ａによってサポートされるセカンダリ無線インターフェースの数に等しく、それに対してＵＥ１ａは近接サービスにアクセスするために使用することが認可される。それぞれのさらなる回答メッセージは好ましくはＵＥ１ａによってサポートされるセカンダリ無線インターフェースＲ２、Ｒ３、・・・、ＲＮに関連付けられた１つのそれぞれの発見エンジンと互換性があり、それに対してＵＥ１ａが近接サービスにアクセスするために使用することが認可される。この説明を通じて、「発見エンジンと互換性がある回答メッセージ」という表現は、構造および内容が考慮される発見エンジンによって理解されるように適合されているメッセージに関連する。さらなる回答メッセージの内容は本明細書の以降においてさらに明らかにされる。
【００４４】
特に、第１の回答メッセージｍ２１から開始して、ＵＥ１ａによってサポートされるそれぞれ認可されたセカンダリ無線インターフェースＲ２、・・・、ＲＮについて、適合機能３１ａは好ましくは、認可されたセカンダリ無線インターフェースに関連付けられた発見エンジンが処理することができる１つの適切な回答メッセージを生成し、認可されたセカンダリ無線インターフェースを介して関連する発見手順を開始する。より特には、ＵＥ１ａによってサポートされるそれぞれ認可されたセカンダリ無線インターフェースＲ２、・・・、ＲＮについて、適合機能３１ａは好ましくは、第１の回答メッセージｍ２１の１つまたは複数のフィールドに含まれるサービスコードを適合して、それぞれさらなる回答メッセージで搬送されるように適合されたセカンダリサービスコードを生成する。所与の認可されたセカンダリ無線インターフェースのために生成されたセカンダリサービスコードによって、ＵＥ１ａの認可されたセカンダリ無線インターフェースに関連付けられた発見エンジンが、関連する発見手順を開始することができ、ひいては考慮される近接サービスの提供のための認可されたセカンダリ無線インターフェースを介して通知されるように適合される。
【００４５】
特に、ＵＥが認可されて第２の無線インターフェースＲ２を使用する場合、適合機能３１ａは好ましくは第１の回答メッセージｍ２１を、好ましくはＵＥ１ａにインストールされた発見エンジンによって処理されるように適合された第２の回答メッセージｍ３１に変換し、第２の無線インターフェースＲ２を介して発見手順を実施する。
【００４６】
例えば、第２の回答メッセージｍ３１はＵＥ１ａのＷｉ−Ｆｉ  ＮＡＮ発見エンジンによって処理されるように適合されたメッセージであってもよい。第２の回答メッセージｍ３１はＷｉ−Ｆｉアライアンス、２０１５、４５ページによる「Ｎｅｉｇｈｂｏｒ  Ａｗａｒｅｎｅｓｓ  Ｎｅｔｗｏｒｋｉｎｇ  Ｔｅｃｈｎｉｃａｌ  Ｓｐｅｃｉｆｉｃａｔｉｏｎ」、バージョン１．０に記載の発行方法にしたがってフォーマットされてもよい。この方法では、サービス／アプリケーションは他のＷｉ−Ｆｉ  ＮＡＮデバイスのための所与のパラメータで、それを発行することによって、サービスが発見され得るようにする。この場合、第２の回答メッセージｍ３１（本明細書において以下で発行メッセージとも称される）は以下のパラメータを含む：
−  サービス／アプリケーションの識別子であるサービス名、
−  発見フレームに含められる＜長さ、値＞対の並べられたシーケンスである一致フィルタｔｘ、
−  応答するための加入メッセージをフィルタするために使用されるサービス名を超えてさらなる応答条件を特定する＜長さ、値＞対の並べられたシーケンスである一致フィルタｒｘ、
−  この発行方法に対応する加入方法を呼び出したＷｉ−Ｆｉ  ＮＡＮデバイスの発見エンジンに伝送されるべき値のシーケンスである、サービス特有情報、
−  以下を含む設定パラメータ
−  発行タイプ（求められた送信、求められていない送信、求められたおよび求められていない両方の送信）
−  サービスがごく近傍のみで発見可能かどうかまたは範囲内のあらゆるＷｉ−Ｆｉ  ＮＡＮデバイスにとって発見可能かどうかを判断する発見範囲、
−  求められた送信タイプ（ユニキャスト、またはマルチキャスト送信）、
−  求められていない送信の推奨される周期性を表す、通知周期、
−  発行機能のインスタンスが所与の時間間隔で実行されるか、または１回の送信だけかどうかを示す、寿命、
−  発行関連のイベントがいつ生成されるかを決定する、イベント条件、
−  一致フィルタｔｘが一致フィルタｒｘに等しいとき０に等しく、一致フィルタｔｘが一致フィルタｒｘに等しくないとき１に等しい一致フィルタフラグ。
この場合、例示的なＬＴＥモバイル通信ネットワークを考慮すると、適合機能３１ａは発見要求メッセージに応答してＰｒｏＳｅ機能によって提供される１つまたは複数のＰｒｏＳｅアプリケーションコードを適合して、これらのコードに対応するデータ文字列の形式でセカンダリサービスコードを生成し、これらのデータ文字列は１つまたは複数の一致フィルタｔｘフィールドにおける発行メッセージとして搬送されるように適合されている。例えば、ＰｒｏＳｅアプリケーションコードはセグメント化されてもよく、それぞれのセグメントがＰｒｏＳｅアプリケーションコードに関連付けられたＰｒｏＳｅアプリケーションＩＤのそれぞれのラベルに対応してもよい。この例示的な状況において、次いで適合機能３１ａは、どのタイプの情報（例えば、広いレベルでの事業カテゴリ、および／または事業サブカテゴリ、および／または事業名、および／またはショップＩＤ）がＵＥ１ａのＷｉ−Ｆｉ無線インターフェースを介して通知されることになるかに基づいて、ＰｒｏＳｅアプリケーションコードのどのセグメントが発行メッセージの一致フィルタｔｘフィールドに入れられることになるかを判断することができる。次いで、それぞれ選択されたセグメントは、それぞれの一致フィルタｔｘフィールドに挿入されることができる。あるいは、発行メッセージはセカンダリサービスコードを１つまたは複数の専用の追加のフィールドで搬送することができる。
【００４７】
ステップ２０６において、第１のネットワークモジュール３１は好ましくはこの第２の回答メッセージｍ３１を、第１のネットワークモジュール３１とＵＥ１ａを接続するモバイル通信ネットワーク１のリンク上を搬送するように適合された伝送メッセージにカプセル化する。次いで、それは第２の回答メッセージｍ３１（適切な伝送メッセージにカプセル化されたままで）をＵＥ１ａ、特にＵＥ１ａのプライマリ無線インターフェースＲ１に送信する。次いで、ＵＥ１ａは伝送メッセージを受信し、第２の回答メッセージ３１を検索し（ステップ２０７）、受信したセカンダリサービスコードを通知することによって第２の無線インターフェースＲ２を介して発見手順を開始することができる関連する発見エンジンにそれを転送する（ステップ２０８）。第２の無線インターフェースＲ２を介する発見手順は、恐らくは第１の無線インターフェースＲ１を介して開始された発見手順に関して、その代替としてまたは同時に、ＵＥ１ａによって開始されることができる。
【００４８】
上述の同一のアクションが、近接サービスへのアクセスをサポートするＵＥ１ａのそれぞれのセカンダリ無線インターフェースについて好ましくは実施され、既に上述のように、それを介してＵＥ１ａが近接サービスにアクセスされることを認可される。図２のフローチャートを参照すると、ＵＥ１ａが認可されてそのすべてのセカンダリ無線インターフェースを使用する場合、適合機能３１ａは最終的に適切なセカンダリサービスコードを含む第Ｎの回答メッセージｍＮ１を生成することができる。第Ｎの回答メッセージｍＮ１は好ましくはＵＥ１ａにインストールされた発見エンジンによって処理されるように適合され、ＵＥ１ａは第Ｎの無線インターフェースＲＮを介して発見手順を実施するように適合される。特に、第Ｎの回答メッセージｍＮ１は好ましくは第Ｎの無線インターフェースＲＮを介して通知されるように適合されるセカンダリサービスコードを含む。ステップ２０９において、第１のネットワークモジュール３１は好ましくは第Ｎの回答メッセージｍＮ１を適切な伝送メッセージにカプセル化されたままでＵＥ１ａに送信し、ＵＥ１ａはプライマリ無線インターフェースＲ１を介してそれを受信し（ステップ２１０）、受信したセカンダリサービスコードを通知することによって第Ｎの無線インターフェースＲＮを介して発見手順を開始することができる。
【００４９】
図示していない上述の第１の実施形態の変形例によると、既に上述したものに類似するが、メッセージｍ１を受信すると、第１のネットワークモジュール３１は好ましくはＵＥ１ａのプライマリ無線インターフェースＲ１を介して近接サービスにアクセスするための認可を確認し、適合機能３１ａは好ましくはプライマリネットワークモジュール３１と協働して、第２のネットワークモジュール３２（すなわち、この説明において考慮される例示的なＬＴＥモバイル通信ネットワーク内では、ＨＳＳ）において加入情報を確認することによって、ＵＥ１ａがメッセージｍ１で示されるそのセカンダリ無線インターフェースＲ２、・・・、ＲＮを介して近接サービスにアクセスするために認可されたかどうかを確認する。さらにこの変形例によると、適合機能３１ａは第１のネットワークモジュール３１と協働して、ＵＥ１ａの位置情報を取得するために、第３のネットワークモジュール３３（すなわち、この説明において考慮される例示的なＬＴＥモバイル通信ネットワーク内では、ＳＬＰ）に問い合わせを行う。次いで、好ましくは、適合機能３１ａは、近接サービスにアクセスすることを認可されたすべての無線インターフェースＲ１、・・・、ＲＮのうち（すなわち、認可されていれば、プライマリ無線インターフェースとセカンダリ無線インターフェースのうち）近接サービスにアクセスするために通知ＵＥ１ａによって使用される対象の無線インターフェースＲＴを決定する。この決定は好ましくは第２のネットワークモジュール３３から検索されるＵＥ１ａの位置情報に基づいて実施される。例えば、適合機能３１ａは、ＵＥ１ａが屋内環境（例えば、ショッピングモールなど）に位置する場合では、対象の無線インターフェースＲＴがＷｉ−Ｆｉ無線インターフェースなどのセカンダリ無線インターフェースであること、そうでなければ対象の無線インターフェースＲＴがプライマリ無線インターフェースＲ１であることを判断するために事前設定されてもよい。
【００５０】
この時点で、適合機能３１ａは好ましくは対象の無線インターフェースＲＴと互換性がある１つの回答メッセージを生成し、回答メッセージをＵＥ１ａに送信し（恐らくは適切な伝送メッセージで）、次いで受信したコードを通知することによって対象の無線インターフェースＲＴを介して発見手順を開始することができる（この説明を通じて使用される言い方にしたがうと、受信されたコードは、対象の無線インターフェースＲＴがプライマリ無線インターフェースＲ１の場合はサービスコードであり、または対象の無線インターフェースＲＴがセカンダリ無線インターフェースの場合はセカンダリサービスコードである）。
【００５１】
上述の方法は、本発明の第１の実施形態およびその変形例を参照すると、近接サービスにアクセスしたい通知ＵＥ１ａに参照をして説明してきたが、近接サービスにアクセスしたい監視ＵＥ１ｂによって開始され得る発見手順に対して実質的に同じやり方であてはまるということに注意されたい。この場合、
−  監視ＵＥ１ｂによって第１のネットワークモジュール３１に送信されたメッセージｍ１はＵＥが何に興味があって監視するかを示し（少なくとも１つの所与のサービス識別子によって表現される）、ＵＥ１ｂが監視したいことを示すコマンドおよびＵＥ１ｂによって近接サービスにアクセスするためにサポートされるさらなる無線アクセス技術を示すデータを含み、
−  ＵＥ１ｂが考慮される近接サービスをプライマリ無線インターフェースＲ１を介して監視することを認可されている場合、第１の回答メッセージｍ２１は監視ＵＥ１ｂによって送信されたサービス識別子に関連付けられたサービスコードを監視するための少なくとも１つのサービスフィルタを含み、
−  ＵＥ１ｂがセカンダリ無線インターフェース、例えば第２の無線インターフェースＲ２、を介して近接サービスを監視することを認可されている場合、第２の回答メッセージｍ３１は第２の無線インターフェースＲ２を介して発見手順を実施するために、好ましくはＵＥ１ｂにインストールされて発見エンジンによって処理されるように適合される。特に、適合機能３１ａは好ましくは第２の回答メッセージｍ３１において搬送されるように適合されたセカンダリサービスフィルタを生成する。以下の例からより明らかになるように、第２の無線インターフェースＲ２のために生成されたセカンダリサービスフィルタは第２の無線インターフェースＲ２を介して監視ＵＥ１ｂによって送信されたサービス識別子に関連付けられたセカンダリサービスコードを監視するように適合される。
この説明において考慮される、例示的なＬＴＥモバイル通信ネットワーク内で、監視ＵＥ１ｂによって送信されたメッセージｍ１は技術仕様書ＥＴＳＩ  ＴＳ  １２３  ３０３  ｖ１３．４．０（２０１６−０７）に、例えば、セクション５．３．３．４、５９ページに記載されるような発見要求メッセージとしてフォーマットされる。発見要求メッセージは以下のフィールドを含む：
−  例えば、広いレベルでの事業カテゴリ、事業サブカテゴリ、事業名およびショップＩＤなどを含むデータ構造の形式でＵＥが何に興味があって監視するかを示すＰｒｏＳｅアプリケーションＩＤ、
−  例えば、ＩＭＳＩなどであるＵＥ識別情報、
−  監視コマンド、
−  発見要求メッセージの送信をトリガーしたＵＥアプリケーションの一意の識別子であるアプリケーションＩＤ、
−  これが新しい要求かどうかを示す発見エントリＩＤ。
また、本発明によれば発見要求メッセージは監視ＵＥ１ｂによってサポートされるさらなる無線アクセス技術を示すデータを含む追加のフィールドを備える。
【００５２】
さらに、第１の回答メッセージｍ２１は技術仕様書ＥＴＳＩ  ＴＳ  １２３  ３０３  ｖ１３．４．０（２０１６−０７）に、例えば、セクション５．３．３．４、６０ページに記載されるような発見応答メッセージとしてフォーマットされてもよい。発見応答メッセージは１つまたは複数のＰｒｏＳｅ発見フィルタを含む。
【００５３】
さらにまた、第２の無線インターフェースＲ２がＷｉ−Ｆｉ無線インターフェースである場合、第２の回答メッセージｍ３１はＵＥ１ｂのＷｉ−Ｆｉ  ＮＡＮ発見エンジンによって処理されるように適合されたメッセージであってもよく、特に、Ｗｉ−Ｆｉアライアンス、２０１５、４６および４７ページによる「Ｎｅｉｇｈｂｏｒ  Ａｗａｒｅｎｅｓｓ  Ｎｅｔｗｏｒｋｉｎｇ  Ｔｅｃｈｎｉｃａｌ  Ｓｐｅｃｉｆｉｃａｔｉｏｎ」、バージョン１．０に記載されるような加入方法にしたがってフォーマットされてもよい。この加入方法で、サービス／アプリケーションはＷｉ−Ｆｉ  ＮＡＮ発見エンジンに他のＷｉ−Ｆｉ  ＮＡＮデバイスからの所与のパラメータを伴うサービスを探索させる。この場合、第２の回答メッセージｍ３１（本明細書において以下で加入メッセージとも称される）は以下のパラメータを含む：
−  サービス／アプリケーションの識別子であるサービス名、
−  サービス名を含む受信した発行発見メッセージをフィルタするために使用される＜長さ、値＞対の並べられたシーケンスである一致フィルタｒｘ、
−  発見フレームに含まれる、アクティブな加入が使用されるときサービス名を超えて含まれる＜長さ、値＞対の並べられたシーケンスである一致フィルタｔｘ、
−  サービス名を超えて発行サービスをさらに特定する値のシーケンスである、サービス特有情報、
−  以下を含む設定パラメータ
−  加入タイプ（アクティブ、パッシブ）、
−  サービスがごく近傍のみで探索されるかどうかまたは範囲内のあらゆるＷｉ−Ｆｉ  ＮＡＮデバイスで探索されるかどうかを判断する発見範囲、
−  クエリ送信の推奨される周期性であるクエリ周期、
−  加入機能のインスタンスが所与の時間間隔で実行されるか、または第１の発見結果イベントまでかどうかを示す寿命、
−  一致フィルタｔｘが一致フィルタｒｘに等しいとき０に等しく、一致フィルタｔｘが一致フィルタｒｘに等しくないとき１に等しい一致フィルタフラグ。
この場合、適合機能３１ａは発見要求メッセージに応答してＰｒｏＳｅ機能によって提供される１つまたは複数のＰｒｏＳｅアプリケーションコードを適合して、これらのコードに対応するデータ文字列の形式でセカンダリサービスフィルタを生成し、これらのデータ文字列は１つまたは複数の一致フィルタｒｘフィールドにおける加入メッセージとして搬送されるように適合されている。例えば、それぞれのＰｒｏＳｅアプリケーションコードはセグメント化されてもよく、それぞれのセグメントがＰｒｏＳｅアプリケーションコードに関連付けられたＰｒｏＳｅアプリケーションＩＤのそれぞれのラベルに対応してもよい。次いで、この例示的な状況において、適合機能３１ａは、どのタイプの情報（例えば、広いレベルでの事業カテゴリ、および／または事業サブカテゴリ、および／または事業名、および／またはショップＩＤ）がＵＥ１ｂのＷｉ−Ｆｉ無線インターフェースを介して監視されることになるかに基づいて、ＰｒｏＳｅアプリケーションコードのどのセグメントが加入メッセージの一致フィルタｒｘフィールドに入れられることになるかを判断することができる。次いで、それぞれ選択されたセグメントは、それぞれの一致フィルタｒｘフィールドに挿入されることができる。あるいは、加入メッセージはセカンダリサービスフィルタを１つまたは複数の専用の追加のフィールドで搬送することができる。
【００５４】
図３は本発明の第２の実施形態による方法のフローチャートである。本発明の第２の実施の形態によると、ＵＥ１ａは自身にインストールされた適合機能１１を備える。適合機能はユーザ機器において専用のハードウェア上で実行するように構成されるソフトウェアモジュールであってもよい。
【００５５】
図２のフローチャートを参照して既に上述のように、例えば、通知ＵＥ１ａが通知を開始したいとき、それはメッセージｍ１をその第１の無線インターフェースＲ１を介して第１のネットワークモジュール３１に送信する（ステップ３００）。このメッセージは図２のフローチャートを参照して既に上述のようにフォーマットされる。特に、メッセージｍ１は近接サービスにアクセスするためにモバイルネットワーク無線アクセス技術以外のＵＥ１ａによってサポートされる無線アクセス技術を示すデータを含むフィールドを備える。
【００５６】
ステップ３０１において、第１のネットワークモジュール３１はメッセージｍ１を受信し、発見要求が認可されたかどうかを確認するために、それを処理する。
また、第１のネットワークモジュール３１は好ましくはＵＥ１ａがメッセージｍ１において示されるさらなる無線アクセス技術を使用するために認可されたかどうかを確認する。確認することは、好ましくは第２のネットワークモジュール３２に問い合わせを行うこと、および第１の実施形態を参照して既に上述のように、加入情報を検索することによって実施される。
【００５７】
発見要求が認可された場合、ステップ３０２において、第１のネットワークモジュール３１は好ましくはＵＥ１ａのプライマリ無線インターフェースＲ１に回答メッセージｍ２２を送信する。回答メッセージｍ２２は、モバイル通信ネットワーク１によって提供されてＵＥ１ａを認可し、認可された無線インターフェースを介して１つまたは複数の発見手順を開始し、またＵＥによって送信されるサービス識別子に関連付けられた少なくとも１つの通知されることになるサービスコードをＵＥ１ａに提供する。また、回答メッセージｍ２２は好ましくは近接サービスにアクセスすることをサポートするＵＥ１ａの認可されたセカンダリ無線インターフェースＲ２、・・・、ＲＮを示すデータを含むフィールドを含み、それを介して発見手順が開始することができる。
【００５８】
さらに、本発明のこの第２の実施形態によると、回答メッセージｍ２２は好ましくは適合情報を含み、適合情報は、回答メッセージｍ２２を好ましくはＵＥ１ａにインストールされた発見エンジンによって処理されるように適合された１つまたは複数のセカンダリ回答メッセージに変換して、本明細書の以降においてより詳細に説明されるように認可されたセカンダリ無線インターフェースＲ２、・・・、ＲＮを介して発見手順を実施するために、適合機能１１によって必要とされる情報である。
【００５９】
ステップ３０３において、ＵＥ１ａは回答メッセージｍ２２を受信して、それを処理する。ステップ３０４において、ＵＥ１ａは受信したサービスコードを通知することによってプライマリ無線インターフェースＲ１を介して発見手順を開始することができる。
【００６０】
次いで、ＵＥ１ａは、好ましくは回答メッセージｍ２２を適合機能１１に転送する。この第２の実施形態によると、ＵＥ１ａにインストールされた適合機能１１は、好ましくは回答メッセージｍ２２を処理し、そこから近接サービスにアクセスすることをサポートするＵＥ１ａの認可されたセカンダリ無線インターフェースＲ２、・・・、ＲＮを示すデータを検索し、適合情報を検索する。次いでその適合情報に基づいて、適合機能１１は回答メッセージｍ２２を認可されたセカンダリ無線インターフェースＲ２、・・・、ＲＮに関連付けられた発見エンジンと互換性があるさらなる回答メッセージに変換する（ステップ３０５）。換言すれば、適合機能１１は好ましくは回答メッセージｍ２２をＵＥ１ａの認可されたセカンダリ無線インターフェースＲ２、・・・、ＲＮを介して発見手順をアクティブ化するように適合されたさらなる回答メッセージに変換する。
【００６１】
この説明を通じて考慮される例示的なＬＴＥモバイル通信ネットワークにおいて、回答メッセージｍ２２は第１のネットワークモジュール３１から通知ＵＥ１ａのＥ−ＵＴＲＡ無線インターフェースに送信され、回答メッセージｍ２２はＵＥ１ａが通知することになっているＰｒｏＳｅアプリケーションコードを含む発見応答メッセージとしてフォーマットされている。認可されたセカンダリ無線インターフェースのうちの１つがＵＥ１ａのＷｉ−Ｆｉ無線インターフェースである場合、発見応答メッセージはＰｒｏＳｅアプリケーションコードのデータ構造を示す適合情報を（例えば、追加のフィールドに）含むように適合され、そのような適合情報によって適合機能１１がそれぞれのＰｒｏＳｅアプリケーションコードが発行メッセージの１つまたは複数の一致フィルタｔｘフィールドに挿入されるように適合することが可能となる。この例示的な状況において、次いで適合機能１１は、適合情報に基づいて、どのタイプの情報（例えば、広いレベルでの事業カテゴリ、および／または事業サブカテゴリ、および／または事業名、および／またはショップＩＤ）がＵＥ１ａのＷｉ−Ｆｉ無線インターフェースを介して通知されることになるかに基づいて、ＰｒｏＳｅアプリケーションコードのどのセグメントが発行メッセージの一致フィルタｔｘフィールドに入れられることになるかを判断することができる。
【００６２】
上述のような回答メッセージｍ２２の処理の後、ＵＥ１ａは、ＵＥ１ａにおいて利用可能な、かつそれぞれのさらなる回答メッセージに含まれるセカンダリサービスコードを通知することによって近接サービスにアクセスすることを認可された、それぞれのセカンダリ無線インターフェースを介して発見手順を開始することができる。図３のフローチャートは、例えば、発見手順がＵＥ１ａのそれぞれのセカンダリインターフェースＲ２、・・・、ＲＮを介して、特にステップ３０６で第２の無線インターフェースＲ２を介して、またステップ３０７で第Ｎの無線インターフェースＲＮを介して、開始することを示している。無線インターフェースを介する発見手順のアクティブ化は、あらゆる他の無線インターフェースを介する発見手順のアクティブ化に関して、その代替としてまたは実質的に同時に、実施されてもよい。
【００６３】
またこの場合、本発明の第２の実施形態を参照すると上述の方法は、本発明の第１の実施形態を参照して既に上述のように、監視ＵＥ１ｂによって開始され得る発見手順に実質的に同じやり方であてはまるということに注意されたい。
【００６４】
図示していない本発明の第２の実施形態の変形例によると、既に上述したものに類似するが、第１のネットワークモジュール３１は好ましくはＵＥ１ａにプライマリ無線インターフェースＲ１を介して近接サービスにアクセスするための認可を提供し、それはまた好ましくは第２のネットワークモジュール３２において加入情報を確認することによって、ＵＥ１ａがメッセージｍ１で示されるセカンダリ無線インターフェースＲ２、・・・、ＲＮを介して近接サービスにアクセスするために認可されたかどうかを確認する。また、この変形例によると、第１のネットワークモジュール３１はまた、ＵＥ１ａの位置情報を取得するために第３のネットワークモジュール３３に問い合わせを行う。次いで、好ましくは、第１のネットワークモジュール３１は、近接サービスにアクセスすることを認可された無線インターフェースＲ１、・・・、ＲＮのうち近接サービスにアクセスするために通知ＵＥ１ａによって使用されることになる対象の無線インターフェースＲＴを決定する。既に上述のように、この決定は好ましくは第２のネットワークモジュール３３から検索されるＵＥ１ａの位置情報に基づいて実施される。この時点で、第１のネットワークモジュール３１は好ましくは、本発明の第２の実施形態を参照して既に上述した回答メッセージｍ２２と同一のやり方でフォーマットされた、好ましくはＵＥ１ａの対象の無線インターフェースＲＴを示す追加のデータを含む回答メッセージを生成し、ＵＥ１ａに送信する。ＵＥ１ａはプライマリ無線インターフェースＲ１を介して回答メッセージを受信し、対象の無線インターフェースＲＴがプライマリ無線インターフェースＲ１である場合、それはプライマリ無線インターフェースＲ１を介して発見手順を開始することができる。しかしながら、対象の無線インターフェースＲＴがセカンダリ無線インターフェースである場合、ＵＥ１ａは回答メッセージを適合機能１１に転送する。適合機能１１は好ましくは回答メッセージを対象の無線インターフェースＲＴに関連付けられた発見エンジンに互換性があるさらなる回答メッセージに変換し、それによってＵＥ１ａはセカンダリサービスコードを通知することによって対象の無線インターフェースＲＴを介して発見手順を開始することができる。
【００６５】
図４および図５は、それぞれ本発明の第３の実施形態および第４の実施形態による方法のフローチャートである。本発明の第３および第４の実施形態によると、第１のネットワークモジュール３１をホストするネットワークノードはまた第１のネットワークモジュール３１に接続された無線発見制御モジュール４を備える。無線発見制御モジュール４は第１のネットワークモジュール３１と通信するモバイル通信ネットワーク１の他のノード上でもホストされ得るため、これは限定的ではないことに注意されたい。無線発見制御モジュール４は好ましくはモバイル通信ネットワーク１のノードにおいて専用のハードウェア上で実行するように構成されるソフトウェアモジュールとして実装される。
【００６６】
本発明の第３の実施形態によると、以前の実施形態を参照して既に上述のように、例えば、通知ＵＥ１ａが通知を開始したいとき、通知ＵＥ１ａはメッセージｍ１をそのプライマリ無線インターフェースＲ１を介して第１のネットワークモジュール３１に送信する（ステップ４００）。このメッセージは図２および図３のフローチャートを参照して既に上述のようにフォーマットされる。特に、メッセージｍ１は近接サービスにアクセスするためにモバイルネットワーク無線アクセス技術以外のＵＥ１ａによってサポートされる無線アクセス技術を示すデータを含むフィールドを含む。
【００６７】
ステップ４０１において、第１のネットワークモジュール３１はメッセージｍ１を受信し、発見要求が認可されたかどうかを確認するために、それを処理する。その間、ステップ４０２において、第１のネットワークモジュール３１は好ましくはメッセージｍ１を、通知ＵＥ１ａによってサポートされるさらなる無線アクセス技術を示すデータを検索することによってメッセージｍ１を処理する適合機能３１ａに転送する。また、本発明の第１および第２の実施形態を参照して既に上述のように、適合機能３１ａは好ましくは第１のネットワークモジュール３１と協働してＵＥ１ａがこれらのさらなる無線アクセス技術を介して近接サービスにアクセスすることを認可されたかどうかを確認する。
【００６８】
次いで、第１のネットワークモジュール３１は好ましくは無線発見制御モジュール４に要求を送信し、そのような要求はＵＥ１ａによってサポートされ、近接サービスにアクセスすることを認可されたすべての無線アクセス技術（すなわち、モバイル通信ネットワークの無線アクセス技術、および／またはさらなる無線アクセス技術のうちの１つまたは複数）についての情報、およびユーザの識別子を含む（ステップ４０２）。
【００６９】
要求を受信すると（ステップ４０３）、好ましくは無線発見制御モジュール４はユーザ識別子を利用して、第１のネットワークモジュール３１を通じて、第２のネットワークモジュール３２（すなわち、この説明において考慮される例示的なＬＴＥモバイル通信ネットワーク内では、ＨＳＳ）から、第３のネットワークモジュール３３（すなわち、この説明において考慮される例示的なＬＴＥモバイル通信ネットワーク内では、ＳＬＰ）、および第４のネットワークモジュール３４（すなわち、この説明において考慮される例示的なＬＴＥモバイル通信ネットワーク内では、ＯＳＳ）から情報を検索する。次いで、検索された情報に基づいて、無線発見制御モジュール４は好ましくは近接サービスにアクセスすることを認可されたＵＥ１ａの無線インターフェースのうち、近接サービスにアクセスするために通知ＵＥ１ａによって使用されることになる対象の無線インターフェースＲＴを決定する（ステップ４０４）。対象の無線インターフェースＲＴを決定することは、第２のネットワークモジュール３２から検索されたユーザのプロファイル、および／または第３のネットワークモジュール３３から検索されたＵＥ１ａの位置、および／または第４のネットワークモジュール３４から検索されたモバイル通信ネットワークの実際の負荷条件、および／または第４のネットワークモジュール３４から検索された無線リソースの可用性に基づいて、実施されることができる。例えば、通知ＵＥ１ａが現在ショッピングモール内に位置している場合、無線発見制御モジュール４は、ＵＥ１ａは便利なことにそのＷｉ−Ｆｉ無線インターフェースを使用することができると判断することができる。
【００７０】
次いで、無線発見制御モジュール４は好ましくはステップ４０４で決定された対象の無線インターフェースＲＴを示す応答を生成し、第１のネットワークモジュール３１に送信する。
【００７１】
ステップ４０５、およびステップ４０６において、第１のネットワークモジュール３１は好ましくは、プライマリ無線インターフェースＲ１と互換性がある第１の回答メッセージを生成し、ＵＥ１ａに送信する。無線発見制御モジュール４によって決定された対象の無線インターフェースＲＴがプライマリ無線インターフェースＲＴである場合、第１のネットワークモジュール３１は好ましくは第１の回答メッセージｍ２３に、ＵＥ１ａによって送信されたサービス識別子に関連付けられるＵＥ１ａによって通知されることになる少なくとも１つのサービスコードを挿入する（ステップ４０５）。ステップ４０７において、ＵＥ１ａはそのプライマリ無線インターフェースＲ１を介して第１の回答メッセージｍ２３を受信し、受信したサービスコードを通知することによってプライマリ無線インターフェースＲ１を介して発見手順を開始することができる。
【００７２】
無線発見制御モジュール４によって決定された対象の無線インターフェースＲＴがプライマリ無線インターフェースＲ１ではない場合、第１のネットワークモジュール３１は、好ましくはいかなるサービスコードも含まない回答メッセージｍ２３’をＵＥ１ａに送信し（ステップ４０８）、それによってその受信の際（ステップ４０９）、ＵＥ１ａはプライマリ無線インターフェースＲ１を介するいかなる発見手順も開始しなくてもよいと判断することができる。
【００７３】
この説明を通じて考慮される例示的なＬＴＥモバイル通信ネットワークにおいて、第１の回答メッセージｍ２３、ｍ２３’は第１のネットワークモジュール３１から通知ＵＥのＥ−ＵＴＲＡ無線インターフェースに送信され、第１の回答メッセージｍ２３は発見応答メッセージとしてフォーマットされている。Ｅ−ＵＴＲＡ無線インターフェースが無線発見制御モジュール４によって決定された対象の無線インターフェースである場合、発見応答メッセージは、ＵＥ１ａによって送信されるＰｒｏＳｅアプリケーション識別子に関連付けられた少なくとも１つのＰｒｏＳｅアプリケーションコードを含み、これはＵＥ１ａが通知することになる。
【００７４】
対象の無線インターフェースＲＴがＵＥ１ａの認可されたセカンダリ無線インターフェースのうちの１つである場合（例えば、Ｗｉ−Ｆｉ無線インターフェースであってもよい第２の無線インターフェースＲ２）、第１の回答メッセージｍ２３’は好ましくは第１の回答メッセージｍ２３’をさらなる回答メッセージｍＴに変換する適合機能３１ａに提供される（図４には示していないステップ）。回答メッセージｍＴは好ましくはＵＥ１ａにインストールされた発見エンジンによって処理されるように適合され、ＵＥ１ａはそれぞれのセカンダリ無線インターフェースに関連付けられ、対象の無線インターフェースＲＴであると判断される。特に、適合機能３１ａは好ましくは第１の回答メッセージｍ２３’の１つまたは複数のフィールドに含まれるサービスコードを適合して、対象の無線インターフェースＲＴを介する発見手順の間ＵＥ１ａによって通知されるように適合されたセカンダリサービスコードを生成する。
【００７５】
この説明を通じて考慮される例示的なＬＴＥモバイル通信ネットワークにおいて、対象の無線インターフェースＲＴがＵＥ１ａのＷｉ−Ｆｉ無線インターフェースである場合、第２の回答メッセージｍＴはＷｉ−Ｆｉ  ＮＡＮ発見エンジンによって処理されるように適合されたメッセージ（すなわち、発行メッセージ）であり、本発明の第１および第２の実施形態を参照して既に上述のように、通知されることになるＰｒｏＳｅアプリケーションコード、またはそのセグメントを一致フィルタｔｘフィールドに含めることができる。
【００７６】
ステップ４１０において、第１のネットワークモジュール３１は好ましくはさらなる回答メッセージｍＴを、第１のネットワークモジュール（３１）とＵＥ１ａを接続するモバイル通信ネットワーク１のリンク上を搬送されるように適合された伝送メッセージにカプセル化し、伝送メッセージをＵＥ１ａに送信する。さらなる回答メッセージｍＴを受信すると（ステップ４１１）、ＵＥ１ａは受信したセカンダリサービスコードを通知することによって対象の無線インターフェースＲＴを介して発見手順を開始することができる（ステップ４１２）。
【００７７】
またこの場合、本発明の第３の実施形態を参照すると上述の方法は、既に上述のように、監視ＵＥ１ｂによって開始され得る発見手順に実質的に同じやり方であてはまるということに注意されたい。
【００７８】
図５は、本発明の第４の実施形態による方法のフローチャートである。
既に上述のように、例えば、通知ＵＥ１ａが通知を開始したいとき、通知ＵＥ１ａはメッセージｍ１をそのプライマリ無線インターフェースＲ１を介して第１のネットワークモジュール３１に送信する（ステップ５００）。このメッセージは図２〜図４のフローチャートを参照して既に上述されている。
【００７９】
ステップ５０１において、第１のネットワークモジュール３１はメッセージｍ１を受信し、発見要求が認可されたかどうかを確認するために、それを処理する。好ましくはその間、第１のネットワークモジュール３１は通知ＵＥ１ａによってサポートされる他の無線アクセス技術を示すデータを検索することによってメッセージｍ１を処理し、好ましくはＵＥ１ａが近接サービスにアクセスするためにこれらの他の無線アクセス技術を使用することを認可されたかどうかを確認する。確認することは、好ましくは第２のネットワークモジュール３２に問い合わせを行うこと、および本発明の他の実施形態を参照して既に上述のように、加入情報を検索することによって実施される。
【００８０】
次いで、第１のネットワークモジュール３１は好ましくは無線発見制御モジュール４に要求を送信し、そのような要求はＵＥ１ａによってサポートされ、近接サービスにアクセスすることを認可されたすべての無線アクセス技術についての情報、およびユーザの識別子を含む（ステップ５０２）。要求を受信すると（ステップ５０３）、好ましくは無線発見制御モジュール４はユーザ識別子を利用して、第１のネットワークモジュール３１を通じて、第２のネットワークモジュール３２（すなわち、この説明において考慮される例示的なＬＴＥモバイル通信ネットワーク内では、ＨＳＳ）から、第３のネットワークモジュール３３（すなわち、この説明において考慮される例示的なＬＴＥモバイル通信ネットワーク内では、ＳＰＬ）から、および第４のネットワークモジュール３４（すなわち、この説明において考慮される例示的なＬＴＥモバイル通信ネットワーク内では、ＯＳＳ）から情報を検索する。次いで、検索された情報に基づいて、無線発見制御モジュール４は好ましくは近接サービスにアクセスすることを認可されたＵＥ１ａの無線インターフェースのうち、近接サービスにアクセスするために通知ＵＥ１ａによって使用されることになる対象の無線インターフェースＲＴを決定する（ステップ５０４）。対象の無線インターフェースＲＴを決定することは、第２のネットワークモジュール３２から検索されたユーザのプロファイル、および／または第３のネットワークモジュール３３から検索されたＵＥ１ａの位置、および／または第４のネットワークモジュール３４から検索されたモバイル通信ネットワークの実際の負荷条件、および／または第４のネットワークモジュール３４から検索された無線リソースの可用性に基づいて、実施されることができる。
【００８１】
無線発見制御モジュール４は好ましくはステップ５０４で決定されている対象の無線インターフェースＲＴを示す応答を生成し、第１のネットワークモジュール３１に送信する。
【００８２】
次いで、第１のネットワークモジュール３１は好ましくは回答メッセージｍ２４を生成する。回答メッセージｍ２４はプライマリ無線インターフェースＲ１と互換性があり、ＵＥ１ａによって送信されるサービス識別子に関連付けられた少なくとも１つのサービスコードを搬送し、これはＵＥ１ａが通知することになる。また、回答メッセージｍ２４は好ましくはステップ５０４で決定されている対象の無線インターフェースＲＴを示すデータおよび適合情報を含み、適合情報は回答メッセージｍ２４を好ましくは対象の無線インターフェースＲＴを介した発見手順を実施するためにＵＥ１ａにインストールされた発見エンジンによって処理されるように適合されたさらなる回答メッセージに変換するために適合機能１１によって必要とされる情報である。この説明を通じて考慮される例示的なＬＴＥモバイル通信ネットワーク内において、回答メッセージｍ２４は発見応答メッセージとしてフォーマットされ、ＵＥ１ａによって送信されたＰｒｏＳｅアプリケーション識別子に関連付けられた少なくとも１つのＰｒｏＳｅアプリケーションコードを含み、これはＵＥ１ａが通知することになる。
【００８３】
ステップ５０５において、第１のネットワークモジュール３１は好ましくは回答メッセージｍ２４をＵＥ１ａに送信し、ＵＥ１ａはそれを受信し（ステップ５０６）、それを処理する（ステップ５０７）。対象の無線インターフェースＲＴがＵＥのプライマリ無線インターフェースＲ１を含む場合、ＵＥは受信したサービスコードを通知することによってプライマリ無線インターフェースＲ１を介して発見手順を開始することができる（ステップ５０８）。対象の無線インターフェースＲＴがプライマリ無線インターフェースＲ１を含んでいない場合、ＵＥにインストールされた適合機能１１は好ましくは回答メッセージｍ２４をＵＥの対象の無線インターフェースＲＴに関連付けられた発見エンジンと互換性があるさらなる回答メッセージに変換する（ステップ５０７）。次いで、ＵＥは、さらなる回答メッセージに含まれるセカンダリサービスコードを通知することによって、対象の無線インターフェースＲＴを介して発見手順を開始することができる（ステップ５０８）。
【００８４】
またこの場合、本発明の第４の実施形態を参照すると上述の方法は、監視ＵＥによって開始され得る発見手順に実質的に同じやり方であてはまるということに注意されたい。
特に、本発明の第４の実施形態によると、監視ＵＥ１ｂは第１のネットワークモジュール３１にＵＥ１ｂが監視したいというサービス識別子および他のサポートされる無線アクセス技術を示すメッセージｍ１を送信する。この場合、無線発見制御モジュール４は好ましくは無線インターフェースを決定し、それを介して関連するコード（すなわち、サービスコードまたは監視ＵＥ１ｂによって送信されてメッセージｍ１において示されるサービス識別子に関連付けられたセカンダリサービスコード）が実際に通知ＵＥ１ａによって通知される。次いで、無線発見制御モジュール４は好ましくは監視ＵＥ１ｂのサポートされる無線インターフェースを確認する。監視ＵＥ１ｂが通知ＵＥ１ａによって使用される無線インターフェースに対応する無線インターフェース（すなわち、同一の無線アクセス技術のための無線インターフェース）を備え、近接サービスにアクセスすることを認可されている場合、無線発見制御モジュール４は好ましくは監視ＵＥ１ｂの対象の無線インターフェースＲＴを通知ＵＥ１ａによって使用される無線インターフェースに対応する無線インターフェースとして決定する。このようにして、有利には、監視ＵＥ１ｂはコードが実際に送信される無線インターフェースのみを介して監視することを実施することができ、それによってＵＥ１ｂのバッテリーを節約することが可能となる。
【００８５】
最終的に、本発明によると、サービスフィルタと一致するサービスコード（または、セカンダリサービスフィルタと一致するセカンダリサービスコード）を検出する監視ＵＥ１ｂは、一致が検出されていることを第１のネットワークモジュール３１に報告する。次いで、第１のネットワークモジュール３１は考慮される近接サービスに関連するデータを含むメッセージで監視ＵＥ１ｂに応答することができる（例えば、本日のおすすめやレストランの割引などの監視される商業的なアクティビティに関するデータ）。
【００８６】
有利には、本発明による方法によって、異なる無線アクセス技術による近接サービスにアクセスするための手順を統合することが可能となる。このようにして、有利には、モバイルネットワーク事業者は、そのユーザにユーザ機器によってサポートされる無線アクセス技術のうちの任意の１つを活用することによって近接サービスにアクセスする可能性を提案することができる。次いで、ユーザは異なる無線アクセス技術を介して提案された近接サービスに容易にアクセスすることができる。特に、ライセンスされていない周波数帯域上で運用される無線アクセス技術が使用されてもよい。これによってコストを節約し、またライセンスされた周波数帯域のリソースを節約することが可能となり、それは全体的にデータ送信に使用されることができる。
【００８７】
また、有利には、本発明によってＵＥが、ＵＥの位置、モバイル通信ネットワークの実際の負荷条件、無線リソースの可用性などの複数のパラメータに基づいて近接サービスにアクセスするために便利に使用できる無線インターフェースを決定することを可能にし、それによって（遅延や接続切断などを回避することによって）サービスの提供およびユーザサービス体験の改善が可能となる。
【図１】
2019531668.tif 000003
【図２】
2019531668.tif 000004
【図３】
2019531668.tif 000005
【図４】
2019531668.tif 000006
【図５】
2019531668.tif 000007
【国際調査報告】
2019531668.tif 000008
2019531668.tif 000009
2019531668.tif 000010